(57)【特許請求の範囲】
【請求項１】
透光性部材が設けられた投光窓及び気密な内部空間を有する灯体と；
前記灯体の内部空間に配置され、光を灯体の投光窓から出射する半導体発光素子と；
前記灯体の底面に配置され、前記灯体の内部空間内の空気の湿気を吸湿する吸湿特性を有し、この吸湿特性により前記透過性部材の内側面の結露の発生を防止する吸湿部材と；
前記吸湿部材を収容し、通気性があり、前記吸湿部材を収容した状態で前記灯体の底面に着脱可能に、密着して固定されるケースと；
を具備することを特徴とする埋込型標識灯。
【請求項２】
前記吸湿部材は、低湿度領域（湿度０％〜２０％）における吸湿能力（吸湿量（ｇ）／自己重量（１００ｇ））が１０％以上（２５℃、４８時間経過後）であることを特徴とする請求項１に記載の埋込型標識灯。
【発明の詳細な説明】
【技術分野】
【０００１】
本発明は、発光ダイオード（ＬＥＤ：Light Emitting Diode）等の半導体発光素子を備えた埋込型標識灯に関する。
【背景技術】
【０００２】
従来、空港の滑走路や誘導路には、航空機を誘導するための、埋込型標識灯や地上型標識灯などの標識灯が設置されている。この埋込形標識灯は、灯体上部が滑走路や誘導路の路面から少し突出した状態で該路面に埋込設置され、その灯体上部に側方へ向けて形成された出射窓から光を出射して、航空機を操縦するパイロットから視認できるようにしている。
【０００３】
この種の埋込型標識灯において、光源として発光ダイオードを用いたものがある（例えば、特許文献１）。  
また、他の従来の埋込型標識灯には、光源としてハロゲンランプなどの電球を用いた埋込型標識灯がある（例えば、特許文献２）。
【先行技術文献】
【特許文献】
【０００４】
【特許文献１】特開２００９−７６２３５号公報
【特許文献２】特開２００８−１６３５２号公報
【発明の概要】
【発明が解決しようとする課題】
【０００５】
空港等に用いられる従来の埋込型標識灯は、光源を収納する内部空間を有している。光源からの光は投光窓を介して路面に露出した灯体上部から出射される。光源が収納される内部空間は、一般に路面内に埋設される位置にあり、外部から内部空間への水分の浸入を防止するために、灯体は密閉構造を有する。この種の標識灯は、屋外に設置されているため、外気の温度が低下した場合に、灯体部材の温度も低下する。
【０００６】
特許文献２の埋込型標識灯のように、光源として電球を採用した場合には、電球による発熱によって投光窓に設けられる透光性部材の内側面や内部空間が暖められる。しかし、特許文献１の埋込型標識灯のように、光源としてＬＥＤを採用した場合には、電球に比してＬＥＤによる発熱が小さく、かつ、出射光に熱線を殆ど含まないため、投光窓の透光性部材や内部空間の温度が暖められない。そうすると、外気が冷え、内部空間の温度も低下して、内部空間内の空気の露点温度に達すると、窓部内部の透光性部材の内側面に結露が生じる。結露が生じると、標識灯として要求される光出力、すなわち、所定の方向において十分なレベルの配光を得られないという問題があった。
【０００７】
そこで、本発明は前記問題点に鑑みてなされたもので、要求される光出力を阻害するような結露が発生することを防止することができる標識灯を提供することを目的とする。
【課題を解決するための手段】
【０００８】
本発明の請求項１に係る埋込型標識灯は、透光性部材が設けられた投光窓及び気密な内部空間を有する灯体と；前記灯体の内部空間に配置され、光を灯体の投光窓から出射する半導体発光素子と；前記灯体の底面に配置され、前記灯体の内部空間内の空気の湿気を吸湿する吸湿特性を有し、この吸湿特性により前記透過性部材の内側面の結露の発生を防止する吸湿部材と；前記吸湿部材を収容し、通気性があり、前記吸湿部材を収容した状態で前記灯体の底面に着脱可能に、密着して固定されるケースと；を具備することを特徴とする。
【０００９】
本発明及び以下の請求項の各発明において、特に限定しない限り、用語の定義及び技術的意味は次による。  
灯体は、例えば、路面に埋設される基台に載置されるように上部灯体と灯体カバーとによって水密に構成することができる。しかし、上記記載のものに限定されるものではなく、具体的構成は、どのようなものであってもよい。  
投光窓の透過性部材としては、例えば、プリズム、レンズ、ガラス板等である。
【００１０】
半導体発光素子は、ＬＥＤ、有機ＥＬ等、光出力に伴って発する熱が小さいものである。また、半導体発光素子は、必要に応じてミラー、レンズ等の光学系と組み合わされる。
【００１１】
吸湿部材は、例えば、前記内部空間内の空気の湿気を吸湿する吸湿特性を有する乾燥剤を用いるが、より高い吸湿特性を有する乾燥剤を用いることが望ましい。より高い吸湿特性を有する乾燥剤としては、例えば、合成ゼオライトを用いて成形される錠剤型合成ゼオライト成形乾燥剤（Ｍ−Ｓタブレット：（株）東海化学工業所社製）がある。
【００１２】
なお、乾燥剤は、この錠剤型合成ゼオライト成形乾燥剤に限定されるものではなく、必要に応じて、例えば、この錠剤型合成ゼオライト成形乾燥剤よりも吸湿特性の低いシリカゲル等を用いてもよい。  
吸湿部材の量は、内部空間の空気量に応じて決定することができる。    
また、結露の発生を防止するとは、完全に結露を防止する他、所要の光出力、すなわち、配光、光出力のレベルを阻害しない程度の結露は、許容することを意味する。
ケースは、例えば、筒状に形成されたケースであって、灯体カバーの底面に配置された吸湿部材を上から被せて収容した状態で、前記底面に設けられた固定部材に、ネジを螺合することによって固定される。勿論、ケースは、上から蓋をするような上蓋ケースに限定されるものではなく、例えば、上側ケースと、この上側ケースに着脱自在な下側ケースとでケースを構成し、内部に前記吸湿部材を収容するように構成してもよい。
また、ケースは、例えば、該ケースの上面に複数の通気孔を設けて通気性を良好にしているが、これに限定されるものではなく、必要に応じて外周面に複数の通気孔を設けたり、あるいはケース自体を通気性のある部材を用いて構成し、通気性をより高めるように構成してもよい。
【００１３】
本発明の請求項２に係る埋込型標識灯は、請求項１に記載の標識灯において、前記吸湿部材は、低湿度領域（湿度０％〜２０％）における吸湿能力（吸湿量（ｇ）／自己重量（１００ｇ））が１０％以上（２５℃、４８時間経過後）であることを特徴とする。
【発明の効果】
【００１７】
請求項１の本発明によれば、要求される光出力を阻害するような結露の発生を防止することができる。さらに、請求項１の本発明によれば、標識灯内部が浸水した場合に、ケースによって吸湿部材へ浸水を防ぐことができ、ひいてはこの吸湿部材を含む標識灯の腐食を防止することができる。
【００１８】
請求項２の本発明によれば、錠剤型合成ゼオライト成形乾燥剤と同様により低温（例えば−３５℃）でも、より確実に結露による光出力阻害を防止できる。
【図面の簡単な説明】
【００２０】
【図１】本発明の実施の形態に係る標識灯の構成を示す断面図。
【図２】図１の吸湿部材を収容するケースの構成を説明するための分解斜視図。
【図３】図２のケースを灯体カバーの底面に固定した状態を示す斜視図。
【図４】図３のケースの変形例を示す斜視図。
【図５】横軸に時間をとり縦軸に湿度をとって、標識灯１Ａの内部空間４の湿度の変化を示すグラフ。
【図６】図５に基づく温度及び湿度の実験結果を示す図表。
【図７】他の吸湿部材を用いた場合に、横軸に時間をとり縦軸に湿度をとって、標識灯１Ｚの内部空間４の湿度の変化を示すグラフ。
【図８】図７に基づく温度及び湿度の実験結果を示す図表。
【発明を実施するための最良の形態】
【００２１】
以下、図面を参照して本発明の実施の形態について詳細に説明する。
【００２２】
図１は本発明の実施の形態に係る標識灯の構成を示す断面図である。なお、本実施形態は、標識灯を埋込型標識灯として構成した場合について説明する。
【００２３】
図１に示すように、本実施の形態における標識灯１は、灯体カバー２と、上部灯体３とで灯体１Ａを構成している。この灯体カバー２と上部灯体３との間には、内部空間４が形成されている。灯体カバー２と上部灯体３とを、Ｏリング５を介して複数のビス６によって締結することによって、内部空間４が気密に構成される。
【００２４】
上部灯体３の上面には、光学ユニット１０からの光を導出する投光窓３Ａ及びこの投光窓３Ａに連なる溝部７が、標識灯１の中心から側方斜め上方向に沿って設けられている。このような標識灯１は、例えば、滑走路Ｗに埋設される。すなわち、一般には、路面に埋設される基台（図示せず）に灯体１Ａを載置して固定することによって埋設する。
【００２５】
投光窓３Ａには透光性部材９としてのプリズムが設けられている。すなわち、プリズム収納部８にプリズム９が収納され、プリズム９の光出射面は溝部７側に配置され、プリズム９の光入射面は光学ユニット１０の出射部に対向するように配置される。
【００２６】
プリズム収納部８は、プリズム押え金具１１をビス１２、１３により上部灯体３に固着することによって、溝部７と内部空間４との間に取り付けられるようになっている。プリズム９には、図示しないプリズムガスケットが装着されており、内部空間４の気密性を保持している。
【００２７】
光学ユニット１０は、内部空間４内に配置されて、ビス１４によって灯体カバー２に固着されている。光学ユニット１０は、半導体発光素子としてのＬＥＤ及びリフレクタ等によって構成されており、灯体カバー２に取り付けられた図示しない受電端子から電力が供給されて発光するようになっている。また、灯体カバー２には、図示はしないが中継端子も配設されている。
【００２８】
なお、半導体発光素子は、ＬＥＤの他に、有機ＥＬ等、光出力に伴って発する熱が小さいもので構成することもできる。
【００２９】
本実施の形態においては、内部空間４には、この内部空間４内の空気中の湿気を吸湿する吸湿特性を有し、この吸湿特性により光学ユニット１０の光が出射する部分（投光窓部）の結露だけでなく、内部空間４を構成する上部灯体３及び灯体カバー２の内側面の結露の発生を防止する吸湿部材２０が配置されている。
【００３０】
この吸湿部材２０は、例えば、内部空間４内の空気中の湿気を吸湿する吸湿特性を有する乾燥剤を用いるが、より高い吸湿特性を有する乾燥剤を用いることが望ましい。より高い吸湿特性を有する乾燥剤としては、例えば、合成ゼオライトを用いて成形される錠剤型合成ゼオライト成形乾燥剤（Ｍ−Ｓタブレット：（株）東海化学工業所社製）がある。
【００３１】
そして、吸湿部材２０は、この錠剤型合成ゼオライト成形乾燥剤を用いて、例えば、図２に示すように、円柱形状に形成される。このような吸湿部材２０は、例えば、灯体カバー２の底面２Ａ上に配置される。
【００３２】
なお、吸湿部材２０は、円柱形状に限定されるものではなく、他の形状で構成してもよい。また、吸湿部材２０の配置位置は、灯体カバー２の底面２Ａ上に限定されるものではない。
【００３３】
吸湿部材２０を構成する乾燥剤は、この錠剤型合成ゼオライト成形乾燥剤に限定されるものではなく、吸湿特性が同等あるいはそれよりも低いシリカゲル等の他の乾燥剤を用いて構成してもよい。
【００３４】
また、吸湿部材２０は、低湿度領域（湿度０％〜２０％）における吸湿能力（吸湿量（ｇ）／自己重量（１００ｇ））が１０％以上（２５℃、４８時間経過後）であることが望ましく、このような吸湿能力に対応する乾燥剤を用いれば一層結露の発生防止に効果的である。
【００３５】
また、本実施の形態では、吸湿部材２０を灯体カバー２の内側の底面２Ａに固定するための固定部材２３が設けられている。この固定部材２３は、吸湿部材２０を、灯体カバー２の底面２Ａに対して着脱可能に固定するものである。
【００３６】
この固定部材２３は、例えば、テフロン（登録商標）テープや両面テープにより固定可能な枠部材、あるいは交換性に優れたマジックテープ（登録商標）やネジを用いて底面２Ａに固定可能なケース、等々である。なお、固定部材２３は、このような部材に限定されるものではない。また、固定部材２３は、単に吸湿部材２０を固定するために、テフロン（登録商標）テープや両面テープを用いて固定するものでもよい。
【００３７】
このような固定部材２３を設けたことにより、標識灯１を運搬する時など標識灯１を傾けた場合でも、吸湿部材２０が灯体カバー２の底面２Ａに対する固定位置からずれることがない。したがって、標識灯１は、設置時に吸湿部材２０が透明窓部近傍に移動して、出射する光を遮ることもなく、所定の配光を出射することができるので、安定した配光特性が得られる。
【００３８】
また、標識灯１は、内部空間４が気密に構成されているが、Ｏリング５等のシールド部材の劣化や物理的な外力の付加等により、この内部空間４が浸水してしまう虞れがある。このような場合、単に、吸湿部材２０を灯体カバー２の底面の２Ａの内側面上に設置しただけでは、この吸湿部材２０が浸水によって腐食してしまい、この腐食によって標識灯１全体も腐食してしまう虞れがある。
【００３９】
そこで、本実施の形態では、標識灯１内部が浸水した場合に、吸湿部材２０への浸水及びこの浸水による腐食を防ぐためのケース２１が設けられている。  
このケース２１の構成について図２及び図３を用いて説明する。図２は、図１の吸湿部材を収容するケースの構成を説明するための分解斜視図、図３は、図２のケースを灯体カバーの底面に固定した状態を示す斜視図である。
【００４０】
図２に示すケース２１は、例えば、樹脂又は金属などの部材を用いて筒状に形成されたケースであって、灯体カバー２の底面上に配置された吸湿部材２０をケース２１の下側の開口内に収容でき、かつ、通気性を有して形成される。
【００４１】
このケース２１の上面２１Ａには、通気性を良好にするために複数の通気孔２１ａが設けられている。また、このケース２１の上面２１Ａの両側には、孔２１ｂを有する２つの取付椀部２１Ｂが設けられている。２つの取付椀部２１Ｂは、ケース２１の上面２１Ａにおいて、上面２１Ａの面に平行な方向に延出している。
【００４２】
一方、灯体カバー２の底面２Ａ上には、前記２つの取付椀部２１Ｂに対応する一対の固定部材１５が固着あるいは形成されている。これらの固定部材１５は、例えば、図２に示すように、底面２Ａに対して直交する方向に突出しており、その先端面にはネジ穴１５ａが設けられている。
【００４３】
ここで、ケース２１を取り付ける場合、作業者は、予め灯体カバー２の底面２Ａの内側面に、両面テープや接着剤２４等で固定した吸湿部材２０の上からケース２１を被せて該吸湿部材２０をケース２１の内部に収容させる。ケース２１の下側端面には接着剤を事前に塗布しておき、吸湿部材２０を収容したケース２１が、底面２Ａに密着して固定される。
【００４４】
そして、作業者は、ケース２１の一対の取付椀部２１Ｂの孔２１ｂを、２つの固定部材１５の上面のネジ穴１５ａの位置に位置させ、その後、ネジ２２を孔２１ｂにそれぞれ挿通し、固定部材１５のネジ穴１５ａに螺合させる。こうして、ケース２１は、図３に示すように、吸湿部材２０を内部に収容した状態で、灯体カバー２の底面２Ａに密着して固定される。
【００４５】
この場合、前記ケース２１の下側開口側からの２つの取付椀部２１Ｂの高さと、前記２つの固定部材１５の底面２上からの高さとは、ケース２１を固定部材１５に螺合させたときに、ケース２１の下側開口端面と底面２Ａとが吸湿部材２０に浸水しないような密着状態となるような高さにそれぞれ形成されている。
【００４６】
したがって、図３に示すように、吸湿部材２０を収容した状態でケース２１を底面２Ａに固定した状態では、仮に標識灯１の内部空間４が浸水した場合でも、このケース２１によって吸湿部材２０に水が浸入することもないので、吸湿部材２０の腐食を防止することができ、ひいては、この吸湿部材２０の腐食に起因する標識灯１全体の腐食を防止することができる。  
なお、ケース２１の通気性をさらに良好にするために、ケース２１の外周側面部に複数の通気孔２１ａを設けたり、ケース２１自体を防水しながらも通気性のある部材を用いて構成してもよい。ケース２１の外周側面に複数の通気孔２１ａを設ける場合は、ケース２１の下側開口部側ではなく、上面２１Ａ側の外周側面に設けることが望ましい。これは、仮に標識灯１の内部空間４が浸水したときに複数の通気孔２１ａから浸水させないためである。
【００４７】
また、ケース２１は、図２に示すようなケースに限定されるものではなく、例えば、図４の変形例に示すように、前記２つの取付椀部２１Ｂを、ケース２１下部の開口側に設け、直接灯体カバー２の底面２Ａに、各ネジ２２を螺合することにより、該ケース２１を固定するように構成してもよい。これにより、灯体カバー２の２つの固定部材１５を無くすことができるので、製造工程を簡略化でき、また、製造コストを低減することができる。
【００４８】
また、ケース２１は、このような上から蓋をするような上蓋ケースに限定されるものではなく、例えば、上側ケースと、この上側ケースに着脱自在な下側ケースとで構成し、内部に吸湿部材２０を収容するように構成してもよい。この場合、吸湿部材２０は、底面部を有する筒状の下側ケースの内側に配置される。
【００４９】
このように、本実施の形態においては、外気が冷え、標識灯１の内部空間４や投光窓３Ａの温度が吸湿部材２０を設けない場合の空気の露点温度に達したとしても、標識灯１の内部空間４に設けられた吸湿部材２０によって、内部空間４内の空気の湿気が効率良く吸湿されているため、露点温度が低下している。
【００５０】
このため、光学ユニット１０の光が出射する部分である、透過性部材９を備えた投光窓３Ａにおける内側面と、内部空間４内部を構成する上部灯体３及び灯体カバー２の内側面に結露が発生するのを防止できる。
【００５１】
ここで、本実施の形態の標識灯１と、吸湿部材２０を備えていない通常の標識灯との、結露発生実験を行った。
【００５２】
この結露発生実験は、例えば、−１０℃の環境下で、各標識灯を３０分放置し、その後、４７℃〜５０℃のお湯の中に各標識灯を入れることにより、各標識灯内部における結露の発生の有無を検出するという実験である。
【００５３】
このような結露発生実験の実験結果では、吸湿部材２０を備えていない通常の標識灯は、100％の確率で、標識灯内部の投光窓３Ａに結露が発生した。しかしながら、本実施の形態の標識灯１は、該標識灯内部の投光窓３Ａに結露が発生しなかった。
【００５４】
さらに、本実施の形態の標識灯１における吸湿部材２０の吸湿特性を検出するための実験も行った。この実験は、内部空間４の空気体積３２３cm3  、錠剤型合成ゼオライト成形乾燥剤３．１ｇとしたものである。このような実験結果における標識灯１の吸湿部材２０の吸湿特性について、図５及び図６を参照しながら説明する。  
図５は、横軸に時間をとり縦軸に湿度をとって、後述する標識灯１Ａの内部空間４の湿度の変化を示すグラフであり、図６は、図５に基づく温度及び湿度の実験結果を示す図表である。  
なお、図５は標識灯１Ａの内部空間４の温度（細線）及び湿度（太線）の変化を示し、図６はこの温度と経過時間に応じた湿度、水蒸気量及び水分量を示している。また、図５及び図６は４時間間隔で内部空間内の空気の湿度、水蒸気量及び水分量を検出し、約１週間（約１６４時間）繰り返した場合を示している。
【００５５】
図６に示すように、内部空間４の温度が２３．５℃で、湿度が３０．６％である状態の標識灯１Ａと、内部空間４の温度が２３℃で、湿度が３１．２％である状態の標識灯１Ｂと、内部空間４の温度が２７．５℃で、湿度が３４．５％である状態の標識灯１Ｃとの条件の異なる３つの標識灯１Ａ〜１Ｃについて、経過時間に応じた湿度の変化を計測した。
【００５６】
すると、図５及び図６に示すように、吸湿部材２０による吸湿特性により、いずれの標識灯１Ａ〜１Ｃにおいても、内部空間４の湿度は、約４時間後に急激に低くなり、約２４時間（一日）経過後には、Ｏ％になった。勿論、その後、一週間（１６４時間）経過しても、内部空間４の湿度は、増えることはないことが解る。
【００５７】
前記条件下で、実験を行った３つの標識灯１Ａ〜１Ｃの平均をとっても、内部空間４の湿度は、約４時間後に急激に低くなり、約２４時間（一日）経過後には、Ｏ％になり、その後、一週間（１６４時間）経過しても、内部空間４の湿度は、増えることがない。
【００５８】
すなわち、本実施の形態における標識灯１に設けられた吸湿部材２０は、乾燥剤として、例えば錠剤型合成ゼオライト成形乾燥剤を用いたとすると、相対湿度に応じて、高い吸湿量が得られる吸湿特性を有している。
【００５９】
したがって、本実施の形態の標識灯１は、前記実験結果からも解るように、外気が冷え、標識灯１の内部空間４や投光窓３Ａの温度が空気の露点温度に達したとしても、内部空間４の空気の湿気が、吸湿部材２０の吸湿特性によって、約２４時間（一日）経過後には、Ｏ％になり、また、それ以降増えることもないので、結露が発生しない。すなわち、本実施の形態の標識灯１は、どのような環境下でも、迅速で、かつ安定した吸湿力が得られるので、確実に結露の発生を防止することができる。
【００６０】
ここで、吸湿部材２０として、前記錠剤型合成ゼオライト成形乾燥剤ではなく、この吸湿特性よりも低いシリカゲル等の他の乾燥剤を用いて構成して場合の吸湿特性について、図７及び図８を用いて説明する。なお、この実験条件は、図５及び図６に示す実験と同様である。
【００６１】
図７は、他の吸湿部材としてシリカゲルといった乾燥剤を用いた場合に、横軸に時間をとり縦軸に湿度をとって、後述する標識灯１Ｚの内部空間４の湿度の変化を示すグラフであり、図８は、図７に基づく温度及び湿度の実験結果を示す図表である。
【００６２】
なお、図７は標識灯１Ｚの内部空間の温度（細線）及び湿度（太線）の変化を示し、図８はこの温度と経過時間に応じた湿度、水蒸気量及び水分量を示している。また、図７及び図８は４時間間隔で内部空間内の空気の湿度、水蒸気量及び水分量を検出し、約８日間（約１９２時間）繰り返した場合を示している。
【００６３】
図８に示すように、内部空間４の温度が２４℃で、湿度が３６．２％である状態の標識灯１Ｘと、内部空間４の温度が２６．５℃で、湿度が３６．５％である状態の標識灯１Ｙと、内部空間４の温度が２６．５℃で、湿度が３５．９％である状態の標識灯１Ｚとの条件の異なる３つの標識灯１Ｘ〜１Ｚについて、ついて、経過時間に応じた湿度の変化を計測した。
【００６４】
すると、図７及び図８に示すように、シリカゲルを用いた吸湿部材２０による吸湿特性により、いずれの標識灯１Ｘ〜１Ｚにおいても、内部空間４の湿度は、約４時間後に急激に低くなるものの、約２４時間（一日）経過後には、Ｏ％にはならず、５％近傍にとどまっている。その後、約８日間（約１９２時間）経過しても、内部空間４の湿度は、減ることもなく、また増えないことが解る。
【００６５】
また、シリカゲルなどの吸湿部材２０では、図８の右最終測定値に示すように、温度が２０℃、湿度が５．１％である場合には、周知の計算式により露点温度が−２０．７℃と導かれる。
【００６６】
すなわち、標識灯の内部部材（透過窓部）が、−２０．７℃以下の温度にならなければ、内部空間４内のプリズム９面に結露が生じない。光学ユニット１０の点灯による光学ユニット全体からの発熱量、標識灯１の外部環境を考慮すると、内部部材（透過窓部）が−２０．７℃以下になる可能性は低い。
【００６７】
このため内部空間４内においては、実使用時において結露が生じることはない。このように、吸湿部材２０として、前記錠剤型合成ゼオライト成形乾燥剤ではなく、この吸湿特性よりも低いシリカゲル等の他の乾燥剤を用いて構成した場合でも、結露の発生を防止できる。
【００６８】
国土交通省航空局の標識灯仕様書には、周囲温度−３５℃〜５５℃の環境下において連続使用ができることと定められているので、露点の下限を−３５℃に設定する必要も生じる。この場合には、低湿度領域における吸湿能力が１０％以上の吸湿部材、例えば前記錠剤型合成ゼオライト成形乾燥剤を用いればよい。
【００６９】
以上説明したように、本実施の形態によれば、簡単な構成で、要求される光出力を阻害するような結露の発生を防止することができる標識灯１を構成できる。
【００７０】
また、固定部材２３を設けたことにより、標識灯１を運搬する時など標識灯１を傾けた場合でも、吸湿部材２０がずれることがないので、設置時に吸湿部材２０が透明窓部近傍に移動して、出射する光を遮ることもなく、所定の配光を出射することができる。
【００７１】
さらに、ケース２１を設けたことにより、標識灯１内部が浸水した場合に、ケース２１によって吸湿部材２０へ浸水を防ぐことができ、ひいてはこの吸湿部材２０を含む標識灯１の腐食を防止することができる。
【００７２】
なお、本実施の形態では、標識灯１を、埋込型標識灯として構成した場合について説明したが、これに限定されるものではなく、例えば、地上型標識灯として構成してもよい。
【００７３】
本発明は、上述した実施の形態及び変形例に限定されるものではなく、本発明の要旨を変えない範囲において、種々の変更、改変等が可能である。
【符号の説明】
【００７４】
１…標識灯、
２…灯体カバー、
２Ａ…底面、
３…上部灯体（灯体）、
４…内部空間、
５…Ｏリング、
１０…光学ユニット、
１５…固定部材、
２０…吸湿部材、
２１…ケース、
２１Ｂ…取付椀部、
２１ａ…通気孔、
２２…ネジ、
２３…固定部材。
【図１】
0005621309.tif 000002
【図２】
0005621309.tif 000003
【図３】
0005621309.tif 000004
【図４】
0005621309.tif 000005
【図５】
0005621309.tif 000006
【図６】
0005621309.tif 000007
【図７】
0005621309.tif 000008
【図８】
0005621309.tif 000009